(57)【要約】【課題】重機を走行させても損傷し難く、紫外線劣化を防ぐことができ、廃棄物処理場内容積を大きく確保できるように薄く、設置も迅速かつ容易に行うことのできる廃棄物処分場における遮水シートの保護構造を提供する。【解決手段】廃棄物処理場１００における遮水シートの保護構造１０１は、廃棄物処分場１００の凹部の内面に敷設する遮水シート１０４に保護層を設ける廃棄物処分場の構築方法であって、斜面を含む底部地盤に敷設された遮水シートの上面を覆うように複数のアスファルトコンクリートパネル１０５を、その外周縁を突き合わせながら、または重複領域を設けながら連接配置してなることを特徴とする。【選択図】      図１
2005144251.tif 000002
【特許請求の範囲】
【請求項１】
廃棄物処分場の凹部の内面に敷設する遮水シートに保護層を設ける廃棄物処分場の構築方法であって、
斜面を含む底部地盤に敷設された遮水シートの上面を覆うように複数のコンクリート製パネルを、その外周縁を突き合わせながら、または重複領域を設けながら連接配置してなることを特徴とする廃棄物処理場における遮水シートの保護構造。
【請求項２】
前記コンクリート製パネルが、アスファルトコンクリートからなることを特徴とする請求項１に記載の廃棄物処理場における遮水シートの保護構造。
【請求項３】
前記コンクリート製パネルが、０．６〜８ｃｍ程度の厚さを有していることを特徴とする請求項１または２に記載の廃棄物処理場における遮水シートの保護構造。
【請求項４】
前記コンクリート製パネル間の目地部を、接着剤またはテープ等の接着材にて接着して、該コンクリート製パネルを相互に固着することを特徴とする請求項１〜請求項３のいずれかに記載の廃棄物処分場における遮水シートの保護構造。
【発明の詳細な説明】
【技術分野】
【０００１】
本発明は、廃棄物処分場における遮水シートの保護構造に関し、特にアスファルトコンクリート等のコンクリート製パネルを用いた遮水シートの保護構造に関するものである。
【背景技術】
【０００２】
産業廃棄物や一般廃棄物を投棄する、例えば埋立形の廃棄物処分場は、自然の地形を利用したり地盤を掘削して造成された凹部の内面に、廃棄物を埋め立て貯留してゆくものである。このような廃棄物処分場においては、埋め立てた廃棄物から浸出する汚水の地下浸透による環境汚染を防止するために、処分場の底部地盤に予め遮水工を実施することが義務付けられている。
【０００３】
この遮水工としては、廃棄物処分場の凹部の内面に、遮水シートを敷設する方法と、アスファルト舗装層を設ける方法と、土質遮水層を設ける方法とが知られている。
【０００４】
遮水シートを敷設する方法は、収納した廃棄物を転圧する際などに、廃棄物の突起により遮水シートが損傷を受け易いという欠点がある。一方、アスファルト舗装層または土質遮水層を設ける方法では、アスファルト舗装層または土質遮水層は遮水シートよりも厚いので、廃棄物の転圧時に損傷を受け難いという長所がある。
【０００５】
そこで、現在は、例えば、遮水シートとアスファルト舗装層の二重遮水構造（特許文献１を参照）、または遮水シートと土質遮水層の二重遮水構造にて、より遮水性を補強する廃棄物処分場の構築方法が提案されている。
【０００６】
この方法においては、まず、廃棄物処分場の凹部の斜面を含む底部地盤に砕石を積層した基礎部を覆うように、アスファルトコンクリートを敷設する。なお、アスファルトコンクリートは、工場生産し、敷設施工現場で転圧したものを所定の厚さに敷設するものである。
【０００７】
次に、敷設したアスファルトコンクリート上を覆うようにして、遮水シートを敷設することにより、二重遮水構造とする。
【０００８】
さらに、アスファルトコンクリートを覆うように敷設した遮水シートは、岩石や廃棄物等の突起物による損傷や紫外線による劣化から、不織布で遮水シートの表面を覆った後、厚さ５０ｃｍ以上の保護砂（土砂）を敷設して遮水シートの保護層を設ける方法や遮水シート上に現場で直接アスファルトコンクリートを敷設する方法等で保護されている。
【特許文献１】特開平１１−２６２７３７号公報
【発明の開示】
【発明が解決しようとする課題】
【０００９】
しかしながら、上記従来の遮水シートを保護するための保護構造によれば、遮水シートは、数ｍｍ程度の厚さの薄いものであるため、不織布で遮水シートを保護していても、保護砂を重機で遮水シート上に捲き出したり敷き均す作業を行う際に、重機の走行や旋回によってシートを損傷させるおそれがあった。
【００１０】
また、廃棄物の埋立作業時においても、重機の走行の仕方によっては、廃棄物が保護砂を突き抜けて遮水シートを損傷させる場合があるため、このような事態を避けるべくその敷設施工管理に相当の注意を要するという問題があった。
【００１１】
さらに、斜面部の遮水シートは廃棄物が埋め立てられるまで不織布のみで保護されており、不織布とともに遮水シートも紫外線劣化するという問題があった。
【００１２】
そして、保護砂を使用する場合には、大きなレキの混入の少ない良質な砂が多量に必要になるとともに、底面地盤に傾斜があると、降雨時に敷設した保護砂が流されて、作業のやり直しを生じる場合があるという問題があった。
【００１３】
また、斜面を含む底盤部に厚さ５０ｃｍの保護砂を敷設すると廃棄物処分場の埋め立て容量が小さくなるという問題があった。
【００１４】
そこで、本発明は、重機を走行させても損傷し難く、紫外線劣化を防ぐことができ、廃棄物処理場の容積を大きく確保できるように薄く、その設置も迅速かつ容易に行うことのできる廃棄物処分場における遮水シートの保護構造を提供することを目的とする。
【課題を解決するための手段】
【００１５】
上記問題を解決する本発明の廃棄物処理場における遮水シートの保護構造は、廃棄物処分場の凹部の内面に敷設する遮水シートに保護層を設ける廃棄物処分場の構築方法であって、斜面を含む底部地盤に敷設された遮水シートの上面を覆うように複数のコンクリート製パネルを、その外周縁を突き合わせながら、または重複領域を設けながら連接配置してなることを特徴とする（第１の発明）。
【００１６】
第２の発明は、第１の発明において、コンクリート製パネルが、アスファルトコンクリートからなることを特徴とする。
【００１７】
第３の発明は、第１または第２の発明において、コンクリート製パネルが、０．６〜８ｃｍ程度の厚さを有していることを特徴とする。
【００１８】
第４の発明は、第１〜３のいずれかの発明において、コンクリート製パネル間の目地部を、接着剤またはテープ等の接着材にて接着して、コンクリート製パネルを相互に固着することを特徴とする。
【発明の効果】
【００１９】
第１の発明によれば、重機を走行させても損傷し難く、紫外線劣化を防ぐことができ、廃棄物処理場内容積を大きく確保できるように薄く、その設置も迅速かつ容易な遮水シートの保護構造を提供することができる。コンクリート製パネルは、強度性及び耐候性に優れており、遮水シートの外力による損傷や劣化を防止するために、不織布および保護砂を敷設する必要が無くなり、廃棄物処分場内容積を大きく確保できる。また、コンクリート製パネルを敷設する作業は、遮水シート上に直接アスファルトを敷設する場合と比べて、コンクリート製パネルが工場製品のため品質が安定していること、およびアスファルト硬化時の温度管理の手間が省けること等から敷設作業効率の向上を図ることができる。
【００２０】
第２の発明によれば、廃棄物の埋立作業時に、上方に重機を走行や旋回させる場合や廃棄物等に突起物が含まれる場合においても、遮水シートを覆って廃棄物処分場の斜面を含む底盤部に敷設されるアスファルトコンクリートが粘弾性性を有するので柔軟で下盤の凸凹になじみ、これらの荷重を分散させて吸収し、遮水シートを保護する。また、この発明では、耐酸、耐アルカリ性に優れているアスファルトを主成分としているために耐候性に優れている。
【００２１】
第３および第４の発明によれば、コンクリート製パネルは、人力にて運搬および敷設が可能であり、敷設手順は同じ作業の繰り返しなので、熟練を要することがなく迅速な作業ができる。特に、第３の発明によれば、コンクリート製パネルの厚さが０．６〜８ｃｍ程度であるので、重量も軽く、さらに作業性に優れる。
【発明を実施するための最良の形態】
【００２２】
以下に本発明に係る最良の形態について図面を用いて詳細に説明する。
【００２３】
図１は本発明に係る遮水シートの保護構造を採用した廃棄物処分場の一例を説明する略示断面図である。廃棄物処理場１００における遮水シートの保護構造１０１は、例として、山間部などにおける広大な敷地を凹状に掘削し、整地することによって造成した廃棄物処分場１００の斜面を含む底部地盤１０２に砕石を積層した基礎部１０３が、全面に亙って形成される。次いで、基礎部１０３上を覆うように遮水シート１０４が敷設された後に、遮水シート１０４を複数のコンクリート製パネルとしてのアスファルトコンクリートパネル（以下、アスコンパネルという）１０５で縦横に外周縁を突き合わせながら所定の目地間隔を有して連接配置したものである。アスコンパネル１０５は、工場製品で強度および遮水性に優れる。
【００２４】
図２は本発明に係るアスコンパネルの敷設方法を示す、図１の平面図である。図２に示すように、アスコンパネル１０５は、例えば、平面が長方形状の部材であって一辺の長さが３０〜４００ｃｍ程度、厚さが０．６〜８ｃｍ程度で人力により運搬可能な大きさで、重機や廃棄物等による上載荷重によって損傷しない程度の強度を備えるものである。
【００２５】
図３は図２のＡ−Ａ’矢視図であり、（ａ）アスコンパネル間の目地部を接着剤で接着した状態図、（ｂ）アスコンパネル間の目地部をテープ等の接着材で接着した状態図である。
【００２６】
アスコンパネルのずれ防止、および廃棄物がアスコンパネルの下方に入り込むのを防止するために、例えば、図３（ａ）に示すように、隣接するアスコンパネル１０５間の目地部を接着剤３００にて接着する方法と、図３（ｂ）に示すように、隣接するアスコンパネル１０５間の目地部を覆うようにテープ３０１等の接着材にて接着する方法がある。また、接着剤３００とテープ３０１を両方施工する方法も可能である。
【００２７】
したがって、遮水シート１０４の上面を覆うように複数のアスコンパネル１０５を縦横に外周縁を突き合わせながら、隣接するアスコンパネル１０５間を相互に固着し、連接配置していくことによって遮水シートの保護構造１０１が形成される。
【００２８】
敷設作業によって縦横に敷設設置されるアスコンパネル１０５は、敷設施工現場でアスファルト舗装に転圧力を加えることなく、必要な強度および遮水性を確保することができ、傾斜面にも敷設することが可能である。
【００２９】
さらに、アスコンパネル１０５は廃棄物等を敷き均すべく上方に重機を走行や旋回させる場合や廃棄物等に突起物が含まれる場合でも、アスコンパネル１０５は損傷しにくい強度を有するので、アスコンパネルの敷設作業終了後、その上に重機を走行させて、直ちに廃棄物の投棄、埋立て作業を行うことができる。
【００３０】
また、本発明の遮水シートの保護構造１０１によれば、アスコンパネルの平面形状は、縦横に隙間無く連接配置することのできる形状であれば、長方形状のみならず、正方形状や三角形状等種々の形状のものを使用することができる。
【００３１】
なお、遮水シート１０４の上面を覆うように複数のアスコンパネル１０５を縦横に重複領域を設けながら、隣接するアスコンパネル１０５間を相互に固着し、連接配置していくことによって遮水シートの保護構造１０１を形成する方法も可能である。
【図面の簡単な説明】
【００３２】
【図１】本発明に係る遮水シートの保護構造を採用した廃棄物処分場の一例を説明する略示断面図である。
【図２】図２は本発明に係るアスコンパネルの敷設方法を示す、図１の平面図である。
【図３】図２のＡ−Ａ’矢視図であり、（ａ）アスコンパネル間の目地部を接着剤で接着した状態図、（ｂ）アスコンパネル間の目地部をテープ等の接着材で接着した状態図である。
【符号の説明】
【００３３】
１００  廃棄物処分場
１０１  遮水シートの保護構造
１０２  斜面を含む底部地盤
１０３  基礎部
１０４  遮水シート
１０５  アスファルトコンクリートパネル
３００  接着剤
３０１  テープ
【図１】
2005144251.tif 000003
【図２】
2005144251.tif 000004
【図３】
2005144251.tif 000005